(57)【要約】      （修正有）【課題】通常のラチエットレンチを使用出来ない配管途中の継手の分解が可能なラチエットレンチを提供する。【解決手段】併せることで円環状をなし、内周に併せて円環状のはずれ止め溝２ａ，３ａを有し夫々の一端２ｄ，３ｄ側をピン４で枢着し他端２ｅ，３ｅ側を開閉可能に開閉移動金具１６で連結して結合された第１、第２の保持枠２，３と、併せることで円環状をなし、外周にはずれ止め溝２ａ，３ａに周方向にのみ移動可能に嵌合する突条及びラチエット歯５ｂ，６ｂを有し夫々が円弧状の第１、第２のソケット５，６とラチエット歯５ｂ，６ｂと係合可能に第１の保持枠２に構成されるラチエット装置とを有する。【選択図】図１
2008213076.tif 000002
【特許請求の範囲】
【請求項１】
併せることで円環状をなし、内周に併せて円環状のはずれ止め溝を有し夫々の一端側を枢着し他端側を開閉可能に連結して結合された夫々が円弧状の第１、第２の保持枠と、  
第１の保持枠に設けられた取手と、
併せることで円環状をなし、外周に第１、第２の保持枠のはずれ止め溝に周方向にのみ移動可能に嵌合する突条及びラチエット歯を有し夫々が円弧状の第１、第２のソケットと、
ラチエット歯と係合可能に第１の保持枠に構成されるラチエット装置と、
を有することを特徴とするラチエットレンチ。
【請求項２】
第１の保持枠は中心角が２４０度の円弧状、第２の保持枠は中心角が１２０度の円弧状、第１のソケットは中心角が２４０度の円弧状、第２のソケットは中心角が１２０度の円弧状である請求項１に記載のラチエットレンチ。
【請求項３】
第１のソケットと第２のソケットを併せて円環状としたときに、第１のソケットと第２のソケットの衝き合せ部が、衝き合せ部の半径方向に第１のソケットと第２のソケットの端面がずれないように突起を一方のソケット端面に設けると共に他方のソケット端面に該突起が嵌合する凹部を有することを特徴とする請求項１又は２に記載のラチエットレンチ。
【発明の詳細な説明】
【技術分野】
【０００１】
本発明はラチエットレンチに関するものである。
【背景技術】
【０００２】
ラチエットレンチはボルト頭やナットにソケットを嵌合した後にラチエット機構を介して工具柄を揺動してソケットを間欠的に回動してボルトナットを回転するものである。ラチエットレンチによればボルト頭やナットの全周にソケットが嵌合しているため、ボルト頭やナットの外周の角をいためることがない点でスパナよりもすぐれる。しかし、水道管等の工事済配管では管継手部分にラチエットレンチのソケットを嵌合することは不可能である。
【０００３】
従って従来はスパナを配管途中の管継手の多角形部分に係合しスパナを回転することにより管継手の係脱を行っている。しかし、スパナによれば、特に古くてねじ部分が固着した管継手のスパナを掛ける多角形部分の角を丸めてしまいスパナが空回りして使えなくなることが生ずる。そこで、パイプレンチやプライヤを用いるとこのように強くねじが固着した管継手に周方向に不均等に大きな力を加えるため、管継手自体が再び使用出来ない程度に変形したり、破損したりする。
【０００４】
また、スパナ、パイプレンチ、モンキーレンチでは壁際をとおる配管の管継手を回す場合、頻繁に管継手に対して着脱しなければならず作業性の芳しくないものである。
【特許文献１】実開平８−９３０７５号公報
【特許文献２】特開平１０−１５３２１０号公報
【特許文献３】特開２０００―３１７８５１号公報
【発明の開示】
【発明が解決しようとする課題】
【０００５】
特許文献１にはターンバックル用レンチが開示されている。このレンチは同文献の第５図に示すようにピン部材１８で開閉可能に結合された第１円形状部材１４１と第２円形状部材１４２からなるラチエットホイル１を開いた状態で嵌合孔部１３をターンバックルの外側に嵌め込み、閉じた後に把手部材３の開閉可能にピン結合された第１部分円弧状部材２１１と第２部分円弧状部材２１２でラチエットホイル１を抱くようにしたものである。
【０００６】
この特許文献１に記載の発明は手動工具としてラチエットホイルと把手部材の２つの部材からなっており使用時にラチエットホイルに対して第１部分円弧状部材第２部分円弧状部材の組立分解作業が伴なう。またラチエットホイルと把手部材側が別々のため、手動工具としては管理に難があり適当でない。
【０００７】
特許文献２には鉄筋継手ナットに使用されるレンチ用ソケットが示されている。このソケットはヒンジ９で開閉可能に結合した収納枠３中に環状支持体３３，３４で分割歯車４１，４２付のソケット分割体１１，１２を設けたものでソケット分割体１１，１２は自体を分割歯車４１，４２とするか、ソケット分割体１１，１２と同心に設けてある。分割歯車４１，４２に噛み合う歯車５をハンドルＢで回転するようにしている。
【０００８】
特許文献２に記載の発明は動作時ソケットレンチＡに継手ナットｂを締め付ける際に、締め付けるトルクを受けソケットレンチＡ自体がこのトルクにより回されるので、別途ソケットレンチＡを回らないようにする手段が必要である。また、ソケットレンチＡは部材数が多い。工具としてもレンチ用ソケットとハンドルの２部材が必要であり、手動工具としては管理に難があり適当でない。  
【０００９】
特許文献３に記載の発明では連続して、回転する際にＡ回転レンチが切り換と部分３を円滑にわたることは困難である。また、ナットを回転するのに大きなトルクを加えると変形してＡ部回転レンチが回り得なくなる。また、Ａ部回転レンチの中心角を２７０度以上必要とする。
【００１０】
本発明は配管等の途中の管継手の係脱を効果的に行える一体的なラチエットレンチを提供することを目的としている。
【課題を解決するための手段】
【００１１】
本発明の第１の発明は併せることで円環状をなし、内周に併せて円環状のはずれ止め溝を有し夫々の一端側を枢着し他端側を開閉可能に連結して結合された夫々が円弧状の第１、第２の保持枠と、
第１の保持枠に設けられた取手と、
併せることで円環状をなし、外周に第１、第２の保持枠のはずれ止め溝に周方向にのみ移動可能に嵌合する突条及びラチエット歯を有し夫々が円弧状の第１、第２のソケットと、
ラチエット歯と係合可能に第１の保持枠に構成されるラチエット装置と、
を有することを特徴とするラチエットレンチである。
【００１２】
本発明の第２の発明は第１の保持枠は中心角が２４０度の円弧状、第２の保持枠は中心角が１２０度の円弧状、第１のソケットは中心角が２４０度の円弧状、第２のソケットは中心角が１２０度の円弧状である第１の発明に記載のラチエットレンチである。
【００１３】
本発明の第３の発明は第１のソケットと第２のソケットを併せて円環状としたときに、第１のソケットと第２のソケットの衝き合せ部が、衝き合せ部の半径方向に第１のソケットと第２のソケットの端面がずれないように突起を一方のソケット端面に設けると共に他方のソケット端面に該突起が嵌合する凹部を有することを特徴とする第１又は第２の発明に記載のラチエットレンチである。
【発明の効果】
【００１４】
請求項１に係る発明によれば、一つ物の工具であり、第１の保持枠、第２の保持枠間を開閉するだけで配管途中の管継手のナットに係脱できる。また、そのままで、通常のラチエットレンチと同様に使うこともできる。一つ物の工具であるので管理に意を払う必要がない。
【００１５】
請求項２に係る発明によれば六角ナットの締め緩めの際に第１のソケットだけでも六角ナットを保持できる。
【００１６】
請求項３に係る発明によればソケットの継目が保持枠の継目を円滑に通過できる。  
【実施例】
【００１７】
以下、本発明の実施例を図面を用いて説明する。
（全体構成）
図１から図４に示すように、ラチエットレンチ１は取手２ｂ付の中心角α１が半円の中心角１８０度以上であって放射方向に開口部２ｃ（図４）を有し、内周に周方向のはずれ止め溝２ａを有する円弧状の第１の保持枠２と、中心角が３６０度から角α１減じた値の角α２であって第１の保持枠２の他端２ｅに接離可能な他端３ｅを有し第１の保持枠２ａと併せて円環状となる位置と、第１の保持枠２の開口部２ｃを開放するようにピン４により枢着され図２に示すように内周に第１の保持枠２のはずれ止め溝２ａと併せて円環状のはずれ止め溝２ａ，３ａとなるはずれ止め溝３ａを有する円弧状の第２の保持枠３を有する。
【００１８】
また、ラチエットレンチ１は外周に第１の保持枠２のはずれ止め溝２ａに周方向にのみ移動可能に嵌合する突条５ａとこの突条５ａの周囲に設けたラチエット歯５ｂとを有し内周にボルト頭又はナットに係合する嵌合部５ｃとを有し第１の保持枠２ａの内周の長さとほぼ同一の周方向長さを有する第１のソケット５と、第１のソケット５と併せて第２の保持枠３のはずれ止め溝３ａに周方向にのみ移動可能に嵌合する突条６ａとこの突条６ａの周面に設けたラチエット歯６ｂとを有し第２の保持枠２ａの内周の長さとほぼ同一周方向の長さを有する第２のソケット６を有する。第２のソケット６は内周にボルト頭又はナットに係合する嵌合部６ｃを有する。また、第１のソケット５は第２の保持枠３のはずれ止め溝３ａへ移動して嵌合する。及び第２のソケット６は第１の保持枠２のはずれ止め溝２ａへ移動して嵌合する。
【００１９】
また、ラチエットレンチ１は第１の保持枠２にソケットの回転方向切替ラッチ７を有する。
【００２０】
以下、詳細に説明する。
（第１、第２の保持枠）
図１において、第１の保持枠２と第２の保持枠３は併せて円環状となっている。第１の保持枠２は取手２ｂの長手方向の中心線上に一端（端面）２ｄがある。一端２ｄは第２の保持枠３の一端３ｄと衝接している。第１の保持枠２の他端（端面）２ｅは第１の保持枠２と第２の保持枠３を併せて円環状の保持枠となった状態において第２の保持枠３の他端（端面）３ｅと衝合している。第１の保持枠２に半径方向に設けた貫通穴には鉄球８、ばね９が嵌入している。ばね９は保持枠２の外周に小ねじ１１で固定された押え金具１３によって縮小されており、鉄球８は加圧されている。鉄球８はラチエット歯５ｂの谷に入り込んでいる。
【００２１】
ばね９は圧縮コイルばねである。第２の保持枠３にも同様に鉄球８、ばね９、小ねじ１１、押え金具１３からなるノッチ装置が設けられ、鉄球８はラチエット歯６ｂの谷に入り込んでいる。
（第１と第２の保持枠の結合部）
図１のＡ−Ａ断面を表わした図３に示すように第１の保持枠２に間隔をおいて設けた突出部２ｆが設けられ、突出部２ｆ間は溝２ｇとなったヒンジが設けてある。この溝２ｇに嵌合する突出部３ｆを有するヒンジが第２の保持枠３に設けてある。突出部３ｆ間は溝３ｇとなっている。突出部３ｆと溝２ｇ、突出部２ｆと溝３ｇが嵌合した状態で突出部２ｆ、突出部３ｆ位置において図１の紙面に直交する方向のピン４が第１の保持枠２、第２の保持枠３を貫通して保持され第１の保持枠２と第２の保持枠３は枢着されている。中間を除く両側の溝２ｇにはピン４に差し込まれて薄板のばね座金１４が嵌め込んである。ばね座金１４により第１、第２の保持枠２，３の図１において紙面に直角方向の位置ががたなく定まる。
【００２２】
図４には第１の保持枠２と第２の保持枠３の枢着部分の形状が示されている。第１の保持枠２の一端２ｄ側における突出部２ｆは半径方向の端面２ｄと端面２ｄに対して鈍角（本例では１８０度−４５度）の位置となる先端面２ｆ１を有する。
【００２３】
一方第２の保持枠３の溝３ｇの底３ｇ１は図１における中心Oを通る図１の紙面に直角な線を通る平面上にある。そこで、図４に示すように第１の保持枠２の開口部２ｃが開くようにピン４を中心にして第２の保持枠３を回動したとき溝底３ｇ１は突出部２ｆの先端面２ｆ１に衝接し第２の保持枠３の回動を制限している。この時第１のソケット５の角５ｄと第２のソケット６の角６ｄ間の距離は管継手のすぐ両側の配管例えば水道管を横切ってこの角５ｄ，６ｄ間をとおってソケット５，６が水道管を囲む位置となる。
【００２４】
このように第２の保持枠３の外方への回転を制限してあるため、第２の保持枠３がピン４を中心に無用にぶらぶら回ってしまうことがなく取り扱い易いものとしている。
（第１と第２の保持枠の係脱部（掛金装置））
第１の保持枠２の他端２ｅと第２の保持枠３の他端３ｅは図１のように中心Ｏを通り紙面に直角な線を通る平面上において衝接している。第１の保持枠２には他端２ｅから周方向に受穴２ｈが設けてある。第２の保持枠３には他端３ｅから周方向に掛金嵌合穴３ｈが設けてある。受穴２ｈ、掛金嵌合穴３ｈは同じ偏平なダブテイル形断面であって、図１の状態で見て突き合せて一つの円弧形空間をなしている。
【００２５】
受穴２ｈの半径方向断面は第１の保持枠２の内周に近い側が幅広となっているダブテイル形である。同様に、掛金嵌合穴３ｈの口部３ｈ１は保持枠２，３の端面２ｅ，３ｅを衝接したときに受穴２ｈと連続するダブテイル形である。図５（ａ）に示すように端面３ｅから見て、掛金嵌合穴３ｈの奥部３ｈ２は第２の保持枠３の外周側が開口３ｈ３となっている。
【００２６】
掛金嵌合穴３ｈには第２の保持枠３の周方向に対して移動自在に開閉移動金具１６が嵌入している。開閉移動金具１６にはつまみ１７が小ねじ１８により固定されている。開閉移動金具１６、つまみ１７、小ねじ１８で掛金を構成している。つまみ１７は開口３ｈ３を通じて第２の保持枠３の外周側から外部へ突出している。つまみ１７を第２の保持枠３の奥方向に移動すると開閉移動金具１６が同方向に移動する。開閉移動金具１６の先端は掛金嵌合穴３ｈの奥側に移動したときは端面３ｅよりも掛金嵌合穴３ｈの奥側へわずかに退いた位置となるようになっている。
【００２７】
この掛金嵌合穴３ｈの内周側には図７（ｄ）に示す止めばね板１５が嵌め込んである。止めばね板１５は板ばねであって掛金嵌合穴３ｈの奥部３ｈ２では奥部３ｈ２の両側に強く嵌合して固定され口部３ｈ１においては弾力で半径方向の外側へ付勢されている。止めばね板１５には外周の１個所に突起１５ａが設けられ突起１５ａは半径方向の外側に付勢された板ばね部分に位置している。突起１５ａは平板の板ばね部分から半球状に突出するように成形加工されている。
【００２８】
開閉移動金具１６の内周側には止めばね板１５の突起１５ａが嵌合する凹部１６ａ，１６ｂが設けてある。開閉移動金具１６が掛金嵌合穴３ｈの最も奥まで退いた位置においては凹部１６ｂが突起１５ａに止めばね板１５の弾力でもって嵌合する。開閉移動金具１６が掛金嵌合穴３ｈから突出したときはつまみ１７は開口３ｈ３の縁に当り開閉移動金具１６が掛金嵌合穴３ｈから外れないようになっている。このとき、止めばね板１５の突起１５ａは開閉移動金具１６の凹部１６ａに止めばね板１５の弾力で嵌合するようになっている。
【００２９】
上記のように構成されているので、開閉移動金具１６が掛金嵌合穴３ｈの奥側へ移動した図７（ｂ）の状態において、第１の保持枠２の他端２ｅと第２の保持枠３の他端３ｅを接した後はつまみ１７を前進させると図７（ａ）に示すように開閉移動金具１６の先端部分は第１の保持枠２の受穴２ｈに嵌合する。このとき、突起１５ａは止めばね板１５の弾力に抗して凹部１６ｂから押し出される。開閉移動金具１６の内周と突起１５ａは摺動し凹部１６ａと突起１５ａが一致すると止め板ばね１６の弾力で凹部１６ａと突起１５ａは嵌合する。これによって、第１の保持枠２と第２の保持枠３の結合が保たれる。
【００３０】
上記受穴２ｈと掛金嵌合穴３ｈは図１に示すように本例では図１に示す第１、第２の保持枠２，３で作られる円環の中心Ｏを中心とする円弧状に設けてあるが、端面２ｅ，３ｅに直角方向の直線状の穴としてもよい。このように受穴２ｈと掛金嵌合穴３ｈを設けて両穴２ｈ，３ｈにわたるように開閉移動金具１６が位置した際には、第２の保持枠３を開放しようとして図１においてピン４を中心に反時計回りに第２の保持枠３を回動する方向に付勢しても、開閉移動金具１６は中心Ｏを中心とする円上にしか移動できないので、受穴２ｈの方向とピン４を中心として回動する第２の保持枠３の他端３ｅ側の移動方向とは異なるので第２の保持枠３は第１の保持枠２に対して移動することができない。
（ラチエット機構）
第２の保持枠３の取手２ｂの先端側には図１の紙面に平行に左右方向に貫通する穴２ｉが設けてある。この穴２ｉは図２に示すように四角形である。穴２ｉには回転方向切替ラッチ（以下、ラッチという）７が嵌合している。ラッチ７は中心Ｏをとおる取手２ｂの長手方向の中心線（図示しない）上において図１の紙面に直角に第１の保持枠２に打ち込まれたピン１２に枢着されている。
【００３１】
ラッチ７は鉄球２１を介してばね１９で加圧されている。鉄球２１、ばね１９は第２の保持枠３の穴２ｊに嵌入している。ばね１９は圧縮コイルばねである。
【００３２】
ラッチ７は鉄球２１が転摺動するカム面７ａ，７ｂと、何れかが選択的にラチエット歯５ｂに作用する又は何れも作用しない位置をとると爪７ｃ，７ｄと、取手２ｂ外へ突出する操作部７ｅ，７ｆとを有する。カム面７ａ，７ｂが会する位置のカムトップ７ｇは鉄球２１が浅く嵌入する凹溝とすることが望ましい。従って、ラッチ７が図１の位置にあるときは爪７ｃ，７ｄは第１、第２のソケット５，６のラチエット歯５ｂ，６ｂから離れている。
【００３３】
操作部７ｅを図１において上方へ移動すると回転方向切替ラッチ７はピン１２を中心に時計回りに回動し、回動始めにカムトップ７ｇから鉄球２１は外れる。そして鉄球２１はカム面７ｂに移る。ばね１９で押されている鉄球２１はカム面７ｂを加圧して切替ラッチ７をピン１２を中心にして時計回りに回動する。爪７ｃはソケット部５のラチエット歯５ｂと係合する。
【００３４】
ここで図１において、取手２ｂを中心Ｏを中心にして時計回りに回転すると爪７ｃはラチエット歯５ｂを押し、ソケット５，６に嵌合している六角ナット等の抵抗に抗してソケット５，６を回転する。取手２ｂを中心Ｏを中心にして反時計回りに回転するとソケット５，６は不動のまま爪７ｃはラチエット歯５ｂからばね１９のばね力に抗して外れてラチエット歯５ｂ上をばね１９のばね力を加えられ乍移動する。取手２ｂの揺動を繰り返すことによって、ソケット５，６ははずれ止め溝２ａ，３ａにガイドされ乍間欠して一体的に回転する。
【００３５】
また、同様にラッチ７の操作部７ｆを図１において上方に移動すると爪７ｄはソケット部５のラチエット歯５ｂと係合する。ここで図１において、取手２ｂを中心Ｏを中心にして反時計回りに回転すると爪７ｄはラチエット歯５ｂを押し、ソケット５，６に嵌合している六角ナット等の抵抗に抗してソケット５，６を回転する。取手２ｂを中心にして時計回りに回転するとソケット５，６は不動のまま爪７ｄはラチエット歯５ｂから外れてラチエット歯５ｂ上をばね１９のばね力を加えられ乍移動する。
（分割されたソケットの保持）
図１に示すようにソケット５，６は併せて完全な円環状となる。ソケット５，６には衝き合せ部として端面５ｅ，５ｆ，６ｅ，６ｆが設けてある。ソケット５，６が図１の位置にあるとき、図６に示すソケット５の端面５ｅとソケット６の端面６ｅは接している。また、ソケット５の端面５ｆとソケット６の端面６ｆは接している。端面５ｅには凹部５ｅ１が設けてある。凹部５ｅ１に丁度嵌合する突起６ｅ１が端面６ｅに設けてある。端面５ｆには突起５ｆ１が設けてある。端面６ｆには突起５ｆ１が丁度嵌合する凹部６ｆ１が設けてある。
【００３６】
ソケット５，６は端面５ｅと６ｅが接して凹部５ｅ１に突起６ｅ１が丁度嵌合し、端面５ｆと６ｆが接して凹部６ｆ１に突起５ｆ１が丁度嵌合した状態で一体的な円環状のソケットとなり、外周に連続して円形に無端のラチエット歯５ｂ，６ｂが配列され、内周に周方向に連続した嵌合部５ｃ，６ｃが配列される。ラチエット歯５ｂ，６ｂは併せて２８コマである。嵌合部５ｃ，６ｃは三角谷形で本例では１２コマとなっていて主に六角ボルト頭、六角ナットが嵌合部５ｃ，６ｃに嵌合するようになっている。
【００３７】
図２に示すように円環状のソケット５，６の円環中心線方向の両端面には手回転用すべり止め５ｇ，６ｇが設けてある。このすべり止め５ｇ，６ｇはラッチ７の爪７ｃ，７ｄが図１に示すようにラチエット歯５ｂ，６ｂと係合していないときに、ソケット５，６は第１，第２の保持枠２，３のはずれ止め溝２ａ，３ａに沿って抵抗少なく回転可能である。このとき、すべり止め５ｇ，６ｇに指先を掛けるとソケット５，６を簡単に回転できる。このとき、ノッチの鉄球８がラチエット歯５ｂ，６ｂの谷にばね９のばね力で押し込まれるのでソケット５，６はラチエット歯５ｂ，６ｂの歯数に相当する数で割り出し回転される。これによって、ラッチ爪７ｃ，７ｄは図１の位置からラチエット歯５ｂ，６ｂの谷に丁度入り得ることになる。本例では第１，第２の保持枠２，３の幅方向の両端面からソケット５，６を突出させ、同方向のソケット５，６の端面にすべり止め５ｇ，６ｇを設けてある。
【００３８】
また、爪７ｃ又は７ｄがラチエット歯５ｂに係合している場合はすべり止め５ｇ，６ｇに指先を掛けて爪７ｃ又は７ｄがラチエット歯５ｂから離脱する方向にソケット５，６を回転できる。
【００３９】
上記は爪７ｃ又は７ｄがラチエット歯５ｂに係脱する場合についてのべたが爪７ｃ又は７ｄがラチエット歯６ｂに係脱する場合も同様に作用する。
【００４０】
ソケット５，６は円環状を保って回転する。従って、ソケット５及び６ははずれ止め溝２ａ，３ａの何れに沿っても移動するものである。
（作用）
ラチエットレンチ１は収納状態では図１のように第１の保持枠２と第２の保持枠３間が閉じた状態である。この状態では、図７（ａ）に示すように開閉移動金具１６は第１の保持枠２の受穴２ｈに嵌合し、且つ、止めばね１５の突起１５ａは開閉移動金具１６の凹部１６ａに弾力で嵌入しているのでラチエットレンチ１の持ち運び時には第１の保持枠２と第２の保持枠３の間が開くことはない。
【００４１】
図１の状態では第１の保持枠２の他端２ｅ、第２の保持枠３の他端３ｅ、ソケット５の周方向の端面５ｆ、ソケット６の周方向の端面６ｆは中心Ｏをとおり図１の紙面に直角な一平面上にある。また、第１の保持枠２の一端２ｄと、第２の保持枠３の一端３ｄ、ソケット５の端面５ｅ、ソケット６の端面６ｅは中心Ｏをとおり図１の紙面に直角な他の一平面上にある。
【００４２】
ラチエット歯５ｂ，６ｂに夫々ばね９で付勢された鉄球８が係合しているのでソケット５，６はラチエットレンチ１の運搬等によっては図１の位置から
回転せず上述した第１の保持枠２、第２の保持枠３、ソケット５，６の端面の位置は保たれる。また、ラチエットレンチ１を図４のように開いた際も、各ラチエット歯５ｂ，６ｂに夫々ばね９で付勢された鉄球８が係合しているので取手２ｂを持ってラチエットレンチ１を振る程度ではソケット５，６は移動しない。
【００４３】
上述のようになっており、ラチエットレンチ１は一体物で各部材の関係位置は運搬、落下等によっては変らない。従って、通常のラチエットレンチと同様の持ち運びができる。
【００４４】
次に配管の途中にある例えば管継手のナットを回転する場合に、スパナは使用できるが、めがねレンチ、通常のラチエットレンチは使用できないときの本例のラチエットレンチ１の使用方法を説明する。
【００４５】
図１、図７（ａ）において、つまみ１７を中心Oを中心に反時計方向に回動すると、開閉移動金具１６は止めばね板１５のばね力で凹部１６ａに入っている突起１５ａの抵抗に抗して掛金嵌合穴３ｈの奥側へ移動し、突起１５ａは凹部１６ａから外れ止めばね板１５上を摺動して凹部１６ｂに嵌合し、開閉移動金具１６の先端側は図７（ｂ）に示すように受穴２ｈから抜ける。
【００４６】
ここで、ピン４を中心に第２の保持枠３を図１において反時計回りに回動すると、第１の保持枠２の他端２ｅから第２の保持枠３の他端３ｅは離れる。及び、ソケット５，６の端面５ｆ，６ｆは離れる。第２の保持枠３が上記回動を続けると、図４に示すようにピン４回りにおいて端面２ｆ１に底３ｇ１が当り、第２の保持枠３の回動限位置となる。保持枠２，３の開いたソケット５，６の角５ｄ，６ｄ間は最大に開いている。
【００４７】
ここで、角５ｄ，６ｄ間の開口を配管を横切って通過させるようにラチエットレンチ１を操作する。次に配管に沿ってラチエットレンチ１を移動し、嵌合部５ｃを管継手の六角ナット（図４には図示されない）に嵌合する。次に図４においてピン４を中心にして第２の保持枠３を時計回りに回動し端面２ｅ，３ｅを衝合する。このとき、前記六角ナットＮは図８又は図９のように嵌合部５ｃ，６ｃで抱かれる。次につまみ１７を前進して開閉移動金具１６を受穴２ｈに嵌合する。
【００４８】
上記ナットＮへのソケット５，６の嵌合は配管を横切ってから、第１、第２の保持枠１，２とソケット５，６を先に閉じてから行ってもよい。
【００４９】
ナットを締める場合は操作部７ｅを図１において押し上げ、爪７ｃをラチエット歯５ｂに係合する。ナットを弛める場合は図１において操作部７ｆを押し上げ爪７ｄをラチエット歯５ｂに係合する。
【００５０】
ここで、取手２ｂを中心Ｏを中心にして揺動すると公知のラッチ７とラチエット歯５ｃ，６ｃからなるラチエット機構により、公知の作用によりソケット５，６は間欠して回動する。
【００５１】
取手２ｂの揺動をくり返すとソケット５，６は共に回動する。今、ソケット５，６が図１において時計回りに回転するものとすると、端面５ｅ側からソケット５は第２の保持枠３のはずれ止め溝３ａに入って、はずれ止め溝２ａ，３ａに案内されて移動する。端面６ｆ側からソケット６は第１の保持枠２のはずれ止め溝２ａに入って、はずれ止め溝２ａ，３ａに案内されて移動する。
【００５２】
配管途中のナットを手で回し得るまで弛め、又は手で締め込んで後に締め込むまでに必要なナットの回転数は複数回である。そこで、ソケット５，６は、はずれ止め溝２ａ，３ａ中を複数回周回する。
【００５３】
配管中のナットが充分弛み手で回して弛み得る位置まで来たときは更に取手２ｂを揺動してソケット５，６の端面５ｅ，６ｅを図１の位置とし、その合せ目に保持枠２，３の端面２ｄ，３ｄの合せ目を合せる。ここで、つまみ１７を操作して受穴２ｈから開閉移動金具１６を抜く。そして、ピン４を中心にして第２の保持枠３を反時計回りに回動すると、図４の如く、保持枠２，３及びソケット５，６間が開く。
【００５４】
ここで、ラチエットレンチ１を配管に沿って移動し、ナットのない処で保持枠２，３を配管から外す。
【００５５】
この作業は先ず配管中のナットからソケット５，６を配管に沿って移動してから行ってもよい。
【００５６】
配管中のナットを締め込む場合に所要の締め込みを行った際に、ソケット５，６の端面５ｅ，６ｅの合せ目、端面５ｆ，６ｆの合せ目が図１の位置になるとは限らない。即ち、ソケット５，６の端面５ｅ，６ｅの合せ目と、保持枠２，３の端面２ｄ，３ｄの合せ目とが一致しないのが通常である。
【００５７】
このときは配管に沿ってナットからソケットレンチ１を外す。次に、好ましくは図１に示すように鉄球２１がラッチ７のカムトップ７ｇを押して爪７ｃ，７ｄがラチエット歯５ｂ，６ｂから離れた状態とし、回転用すべり止め５ｇ，６ｇに指を掛けてソケット５，６を回転する。ソケット５，６はラチエット歯５ｂ，６ｂが鉄球８を介してばね９のばね力を加えられているが、ばね９のばね力は鉄球８が必ずラチエット歯５ｂ，６ｂの谷に入って谷の両フランクに接する大きさになっている。
【００５８】
ソケット５，６は上述のようになっているのでラチエット歯の一歯毎に間欠的に鉄球８を介してばね９の力で位置決めされる。そして、図１に示す位置に来た際には鉄球８はラチエット歯５ｂ，６ｂの谷の両フランクに接すると共に保持枠２，３の端面２ｄ，３ｄの合せ面とソケット５，６の端面５ｅ，６ｅの合せ面が一平面上で一致する。及び端面５ｆ，６ｆ，２ｅ，３ｅが一平面上で一致する。
【００５９】
なほ、ラッチ７の爪７ｃ，又は７ｄがラチエット歯５ｂ，６ｂに係合している場合は、ソケット５，６は一方向にしか回転できないが、ソケット５，６の端面５ｅ，６ｅの合せ目を保持枠２，３の端面２ｄ，３ｄの合せ目に合せることができる。
【００６０】
実施例における第１の保持枠２、ソケット５の周方向の角度は図１に示すようにα１＝２４０度、第２の保持枠３、ソケット６の周方向の角度は図１に示すようにα２＝１２０度である。ソケット５，６の内周には合せて１２コマの六角ナットに係合する内歯の爪車状の凹凸を設けてあり、１つ置きの凹部に六角ナットの角が嵌合する。
【００６１】
このようにしてあるため、図８に示すように六角ナットＮは隣り合って続く４つの角Ｎ１，Ｎ２，Ｎ３，Ｎ４がソケット５に保持される。または、図９に示すようにナットＮの対辺Ｎａ，Ｎｂがソケット５に保持される。
【００６２】
図８ではナットＮはソケット５のみで保持されることも可能である。図９では対辺Ｎａ，Ｎｂに対してソケット５はあたかもスパナのように係合している。しかし、スパナではナットＮの半径方向に外れ得るが、このラチエットレンチ１では図９においてソケット６によって中心Ｏから見て放射方向のナットＮの移動が止められている。
【００６３】
上記図８、図９何れの場合においても、ナットＮはソケット５，６の嵌合部５ｃ，６ｃに全周が嵌合しているので大きなトルクを加えてもナットの角を傷つけてしまうことが防止できる。
【００６４】
ラチエットレンチ１は図１の状態にしておくことにより、通常のラチエットレンチと同様に用いることができる。必要により配管途中のナットの締め弛めに用いることができる。ソケット５，６は両端面が突起６ｅ１が凹部５ｅ１に丁度嵌合し、突起５ｆ１が凹部６ｆ１に丁度嵌合しているので、ソケット５，６を併せた円環形状が正確に保たれ、図１においてソケット５，６と保持枠２，３が相対的に回転するときに、ソケット５，６の端面５ｅ，６ｅの継目は保持枠２，３のピン４で枢着された及び開閉移動金具１６で連結された一端側のはずれ止め溝２ａ，３ａの継目及び他端のはずれ止め溝２ａ，３ａの継目を円滑に通過することができる。ソケット５，６の端面５ｆ，６ｆの継目は上記同様に保持枠２，３のはずれ止め溝２ａ，３ａの上記各継目を円滑に通過できる。
【００６５】
ラチエットレンチ１は、併せることで円環状をなし、内周に併せて連続する円環状のはずれ止め溝２ａ，３ａを有し夫々の一端側を枢着し他端側を開閉可能に連結して結合された夫々が円弧状の第１、第２の保持枠２，３と、併せることで円環状をなし、外周に第１、第２の保持枠２，３のはずれ止め溝２ａ，３ａと周方向にのみ移動可能に嵌合する突条５ａ，６ａ及びラチエット歯５ｂ，６ｂを有し夫々が円弧状の第１、第２のソケット５，６と、ラチエット歯５ｂ，６ｂと係合可能に第１の保持枠に構成されるラチエット装置と、を有することにより、
配管途中にある管継手等の配管を横切って配管途中の管継手のナットにソケットを嵌合してナットをラチエット送りで回転できる。従って、壁際にある配管の管継手のナットについても、スパナのように係脱をくり返すことなく回すことができる。
【００６６】
ソケットは回転数に制限なく回せるのでナットのねじ山の数が多い場合にも好適に対応できる。
【００６７】
ナットを締め付け又は弛める際も、第１，第２のソケットが円環状となって円環状に保持されている保持枠に案内されるので、ナットの角をいためることなく、大きなトルクを加えることができる。
【００６８】
第１，第２の保持枠を開いた際には、第１，第２のソケットは該保持枠のはずれ止め溝に嵌合しているので、ラチエットレンチは常に一体的な構成となっており、使用時に部材を組み付ける必要がなく保管時は１つものであるから一部の部材をなくす恐れがないので手工具として管理に意を払う必要がない。
【００６９】
第１の保持枠２は中心角が２４０度の円弧状、第２の保持枠３は中心角が１２０度の円弧状、第１のソケット５は中心角が２４０度の円弧状、第２のソケット６は中心角が１２０度の円弧状である場合は、六角ナットの締め弛めを行う場合に、第１のソケット５の嵌合部５ｃのみでもナットを回し得るので第１の保持枠と第２の保持枠の枢着部、連結部の強度を大きくする必要はなくラチエットレンチを小さく、コンパクトに構成できる。
【００７０】
第１のソケット５と第２のソケット６を併せて円環状としたときに、第１のソケットと第２のソケットの衝き合せ部が、衝き合せ部の半径方向に第１のソケットと第２のソケットの端面５ｅ，６ｅと５ｆ，６ｆがずれない突起を一方のソケット端面に設けると共に他方のソケット端面に該突起が嵌合する連結凹穴を有することにより、第１のソケットと第２のソケットの円環状態がよく保たれ、第１の保持枠と第２の保持枠の継目を第１のソケットと第２のソケットの継目が円滑に通過できる。
【００７１】
実施例の角α１＝２４０度、角α２＝１２０度は好ましいが、この角α１，角α２は選択の幅がある。例えば角α１＝１２０度、角α２＝２４０度又は角α１＝α２＝１８０度である。これらの角度を採用するとラチエットレンチ１のトルクを加える回転方向は図１においてピン４を中心にして取手２ｂは時計回りに回動するようにすると開閉移動金具１６を用いた掛金装置には開こうとするやや大きな力が加わるので取手２ｂは反時計回りに回動するようにし端面２ｅ，３ｅを圧接するようにする使い方が好ましいことになる。
【００７２】
角α１＝α２とした場合は配管途中の管継手のナットにナット外周側からナットに嵌合部５ｃ，６ｃを嵌合可能となる。
【図面の簡単な説明】
【００７３】
【図１】ラチエットレンチの正面図である。
【図２】図１の側面図である。
【図３】（ａ）は保持枠の枢着部を示し、図１のＡ−Ａ拡大断面図である。（ｂ）は、ばね座金の正面図である。
【図４】ラチエットレンチの正面図である。
【図５】（ａ）は掛金装置を示し、図１のＢ矢視である。（ｂ）は掛金装置を示し、（ａ）のＣ−Ｃ断面図である。
【図６】ソケットの正面図である。
【図７】（ａ）は掛金装置の連結状態を示す側面図である。（ｂ）は掛金装置の解除状態を示す側面図である。（ｃ）は掛金の側断面図である。（ｄ）は板ばねの断面図である。
【図８】六角ナットに嵌合したラチエットレンチの正面図である。
【図９】六角ナットに嵌合したラチエットレンチの正面図である。
【符号の説明】
【００７４】
１…ラチエットレンチ  
２…第１の保持枠  ２ａ…はずれ止め溝  ２ｂ…取手  ２ｃ…開口部  ２ｄ…一端（端面）  ２ｅ…他端（端面）
３…第２の保持枠  ３ａ…はずれ止め溝  ３ｄ…一端（端面）  ３ｅ…他端  ３ｆ…突出部  ３ｇ…溝  ３ｇ１…溝底  ３ｈ…掛金嵌合穴  ３ｈ１…口部  ３ｈ２…奥部  ３ｈ３…開口
４…ピン
５…第１のソケット  ５ａ…突条  ５ｂ…ラチエット歯  ５ｃ…嵌合部  ５ｄ…角  ５ｅ…端面  ５ｅ１…凹部  ５ｆ…端面  ５ｆ１…突起  ５ｇ…すべり止め
６…第２のソケット  ６ａ…突条  ６ｂ…ラチエット歯  ６ｃ…嵌合部  ６ｄ…角  ６ｅ…端面  ６ｅ１…突起  ６ｆ…端面  ６ｆ１…凹部  ６ｇ…すべり止め
７…ラッチ  ７ａ，７ｂ…カム面    ７ｃ，７ｄ…爪  ７ｅ，７ｆ…操作部７ｇ…カムトップ
８…鉄球
９…ばね
１１…小ねじ
１２…ピン
１３…押え金具
１４…ばね座金
１５…止めばね  １５ａ…突起
１６…開閉移動金具  １６ａ，１６ｂ…凹部
１７…つまみ
１８…小ねじ
１９…ばね
２１…鉄球
α１，α２…中心角
Ｏ…中心
Ｎ…ナット
【図１】
2008213076.tif 000003
【図２】
2008213076.tif 000004
【図３】
2008213076.tif 000005
【図４】
2008213076.tif 000006
【図５】
2008213076.tif 000007
【図６】
2008213076.tif 000008
【図７】
2008213076.tif 000009
【図８】
2008213076.tif 000010
【図９】
2008213076.tif 000011